(57)【要約】      （修正有）【課題】布材の形状に制約が無く、簡便、且つ、瞬時に冷凍おしぼりを得ることが可能であり、携帯性に優れたおしぼり瞬間冷凍具セットを提供する。【解決手段】おしぼりをロール状に巻回可能な外周面を備え、内部に中空空間を有する柱状部材１０と、前記柱状部材の長手方向一端側に連続して形成され、高圧冷却ガスが封入された冷却ガス缶の噴射ノズルと接続し、噴射動作に伴い前記高圧冷却ガスを前記柱状部材の中空空間に導通する冷却ガス缶接続部２０と、前記柱状部材の長手方向他端側において前記柱状部材の直立状態を保持する台座部材３０とを備える。前記柱状部材の前記外周面には前記柱状部材の中空空間に導通された前記高圧冷却ガスを前記おしぼりに対して供給する貫通孔１２を貫設する。【選択図】図１
0003169351.tif 000002
【実用新案登録請求の範囲】
【請求項１】
おしぼりをロール状に巻回可能な外周面を備え、内部に中空空間を有する柱状部材と、
前記柱状部材の長手方向一端側に連続して形成され、高圧冷却ガスが封入された冷却ガス缶の噴射ノズルと接続し、噴射動作に伴い前記高圧冷却ガスを前記柱状部材の中空空間に導通する冷却ガス缶接続部と、
前記柱状部材の長手方向他端側において前記柱状部材の直立状態を保持する台座部材とを備え、
前記柱状部材の前記外周面には前記柱状部材の中空空間に導通された前記高圧冷却ガスを前記おしぼりに対して供給する貫通孔が貫設されていることを特徴とするおしぼり瞬間冷凍具
【請求項２】
前記柱状部材の形状は円柱形状、三角柱形状、四角柱形状、五角柱形状、又は六角柱形状の何れかの形状であることを特徴とする請求項１記載のおしぼり瞬間冷凍具
【請求項３】
前記台座部材は前記柱状部材に対して着脱自在に設けられることを特徴とする請求項１、又は請求項２記載のおしぼり瞬間冷凍具
【請求項４】
封入された高圧冷却ガスを噴射ノズルを介して噴射する冷却ガス缶と、
おしぼりをロール状に巻回可能な外周面を備え、内部に中空空間を有する柱状部材と、
前記柱状部材の長手方向一端側に連続して形成され、前記冷却ガス缶の噴射ノズルと接続し、噴射動作に伴い前記高圧冷却ガスを前記柱状部材の中空空間に導通する冷却ガス缶接続部と、
前記柱状部材の長手方向他端側において前記柱状部材の直立状態を保持する台座部材とを備え、
前記柱状部材の前記外周面には前記柱状部材の中空空間に導通された前記高圧冷却ガスを前記おしぼりに対して供給する貫通孔が貫設されたおしぼり瞬間冷凍具とを組み合わせてなることを特徴とするおしぼり瞬間冷凍具セット。
【請求項５】
前記柱状部材の形状は円柱形状、三角柱形状、四角柱形状、五角柱形状、又は六角柱形状の何れかの形状であることを特徴とする請求項４記載のおしぼり瞬間冷凍具セット。
【請求項６】
前記台座部材は前記柱状部材に対して着脱自在に設けられることを特徴とする請求項４、又は請求項５記載のおしぼり瞬間冷凍具セット。
【考案の詳細な説明】
【技術分野】
【０００１】
本考案は、簡便、且つ、瞬時に冷凍されたおしぼりを得ることが可能なおしぼり瞬間冷凍具、及びおしぼり瞬間冷凍具セットに関するものである。
【背景技術】
【０００２】
例えば、炎天下での屋外で作業に従事する者や旅先での旅行者にとって、おしぼりが冷凍されていると（以下、冷凍おしぼりと称する）、清涼感が得られると共に、次の活動への意欲が高められるため、喜ばれるものである。
【０００３】
一般的に、冷凍おしぼりを屋外等で使用するためには、おしぼりとして用いられる布材を直接、又は包装袋に封入した状態で冷凍庫等で冷凍後、使用するときが来るまでアイスボックス等の適当な保冷手段で保存し続ける必要がある。そして、例えば、使用場所を移動する場合には、アイスボックス自体を運搬する必要があるため、使用者にとって負担となるものであった。
【０００４】
さらに、一旦、使用されてしまうと、おしぼりの温度は常温に戻るため、再使用するためには、冷凍庫等で再度冷凍する必要があり、再使用が可能となるまでに時間を要していた。
【０００５】
このような状況において、例えば、特許文献１には、ゴルフプレイヤーが携帯して必要時いつでもある程度の冷却感の持続性をもって使用することができ、特に真夏の炎天下におけるゴルフにおいて使用するに好適な冷却タオルについて記載がなされている。
【先行技術文献】
【特許文献】
【０００６】
【特許文献１】特開２００６−２２３４３２号公報
【考案の概要】
【考案が解決しようとする課題】
【０００７】
しかしながら、上記特許文献１記載の冷却タオルは、扁平状袋部の形成のために、二つ折り、又は２枚のタオル地の三辺周縁部を縫合する必要があり、そのタオル地の形状に制約があった。また、上記特許文献１記載の冷却タオルでは、上記扁平状袋部に挿入された扁平状冷却パックを介してタオル本体が冷却されるため、瞬時にタオル本体を冷却できないといった問題もあった。さらに、上記特許文献１に記載の技術では、タオル本体を冷凍することは不可能であった。
【０００８】
本考案は、このような実情に鑑みてなされたものであり、本考案の課題は、おしぼりとして用いられる布材の形状に制約が無く、簡便、且つ、瞬時に冷凍おしぼりを得ることが可能であり、携帯性に優れたおしぼり瞬間冷凍具、及びおしぼり瞬間冷凍具セットを提供することである。
【課題を解決するための手段】
【０００９】
上記課題を解決するために、本考案に係るおしぼり瞬間冷凍具は、おしぼりをロール状に巻回可能な外周面を備え、内部に中空空間を有する柱状部材と、前記柱状部材の長手方向一端側に連続して形成され、高圧冷却ガスが封入された冷却ガス缶の噴射ノズルと接続し、噴射動作に伴い前記高圧冷却ガスを前記柱状部材の中空空間に導通する冷却ガス缶接続部と、前記柱状部材の長手方向他端側において前記柱状部材の直立状態を保持する台座部材とを備え、前記柱状部材の前記外周面には前記柱状部材の中空空間に導通された前記高圧冷却ガスを前記おしぼりに対して供給する貫通孔が貫設されていることを特徴とする。
【００１０】
本考案に係るおしぼり瞬間冷凍具では、内部に中空空間を有する柱状部材の外周面におしぼりを巻回後、高圧冷却ガスが封入された冷却ガス缶を冷却ガス缶接続部を介して接続する。そして、台座部材を介して直立状態とし、冷却ガス缶の押込みに動作により高圧冷却ガスを噴射させる。噴射された高圧冷却ガスは、冷却ガス缶接続部を介して柱状部材の中空空間に導通される共に、外周面に貫設された貫通孔からおしぼりに供給されるため、瞬時におしぼりを冷凍することができる。また、おしぼり瞬間冷凍具は、台座部材を把持し引き抜くことでおしぼりからの取り外しが可能であるため、ロール形状が保たれた状態での冷凍おしぼりの提供が可能である。
【００１１】
また、本考案では、上記おしぼり瞬間冷凍具において、柱状部材の形状は円柱形状、三角柱形状、四角柱形状、五角柱形状、又は六角柱形状の何れかの形状とすることができ、台座部材は柱状部材に対して着脱自在に設けられる形態としてもよい。
【００１２】
本考案に係るおしぼり瞬間冷凍具の柱状部材の形状を円柱形状とすることで、おしぼりをロール状に円滑に巻回することができる。また、該柱状部材は円柱形状のみでなく、三角柱形状、四角柱形状、五角柱形状、又は六角柱形状の何れかの形状とすることも可能である。柱状部材の形状をこのような角柱形状とすることにより、巻回時に角柱形状を構成する各辺部分がおしぼりに引っ掛かるため、巻回がより容易となる。さらに、本考案に係るおしぼり瞬間冷凍具の台座部材は、おしぼりの巻回時には柱状部材から取り外し、高圧冷却ガスの供給時には柱状部材に装着するといった、柱状部材に対して着脱自在に構成することも可能である。このように構成することで、おしぼりの巻回時に、台座部材が巻回の障害になる不具合を防ぐことができる。
【００１３】
また、本考案に係るおしぼり瞬間冷凍具セットは、封入された高圧冷却ガスを噴射ノズルを介して噴射する冷却ガス缶と、おしぼりをロール状に巻回可能な外周面を備え、内部に中空空間を有する柱状部材と、前記柱状部材の長手方向一端側に連続して形成され、前記冷却ガス缶の噴射ノズルと接続し、噴射動作に伴い前記高圧冷却ガスを前記柱状部材の中空空間に導通する冷却ガス缶接続部と、前記柱状部材の長手方向他端側において前記柱状部材の直立状態を保持する台座部材とを備え、前記柱状部材の前記外周面には前記柱状部材の中空空間に導通された前記高圧冷却ガスを前記おしぼりに対して供給する貫通孔が貫設されたおしぼり瞬間冷凍具とを組み合わせてなることを特徴とする。
【００１４】
本考案に係るおしぼり瞬間冷凍具セットでは、内部に中空空間を有する柱状部材の外周面におしぼりを巻回後、高圧冷却ガスが封入された冷却ガス缶を冷却ガス缶接続部を介して接続する。そして、台座部材を介して直立状態とし、冷却ガス缶の押込みに動作により高圧冷却ガスを噴射させる。噴射された高圧冷却ガスは、冷却ガス缶接続部を介して柱状部材の中空空間に導通される共に、外周面に貫設された貫通孔からおしぼりに供給されるため、瞬時におしぼりを冷凍することができる。また、おしぼり瞬間冷凍具セットは、台座部材を把持し引き抜くことでおしぼりからの取り外しが可能であるため、ロール形状が保たれた状態での冷凍おしぼりの提供が可能である。
【００１５】
また、本考案では、上記おしぼり瞬間冷凍具セットにおいて、柱状部材の形状は円柱形状、三角柱形状、四角柱形状、五角柱形状、又は六角柱形状の何れかの形状とすることができ、台座部材は柱状部材に対して着脱自在に設けられる形態としてもよい。
【００１６】
本考案に係るおしぼり瞬間冷凍具セットに係るおしぼり瞬間冷凍具の柱状部材の形状を円柱形状とすることで、おしぼりをロール状に円滑に巻回することができる。また、該柱状部材は円柱形状のみでなく、三角柱形状、四角柱形状、五角柱形状、又は六角柱形状の何れかの形状とすることも可能である。柱状部材の形状をこのような角柱形状とすることにより、巻回時に角柱形状を構成する各辺部分がおしぼりに引っ掛かるため、巻回がより容易となる。さらに、本考案に係るおしぼり瞬間冷凍具セットに係るおしぼり瞬間冷凍具の台座部材は、おしぼりの巻回時には柱状部材から取り外し、高圧冷却ガスの供給時には柱状部材に装着するといった、柱状部材に対して着脱自在に構成することも可能である。このように構成することで、湿らせた布材の巻回時に、台座部材が巻回の障害になる不具合を防ぐことができる。
【考案の効果】
【００１７】
本考案によれば、おしぼりとして用いられる布材の形状に制約が無く、簡便、且つ、瞬時に冷凍おしぼりを得ることが可能であり、携帯性に優れたおしぼり瞬間冷凍具、及びおしぼり瞬間冷凍具セットを提供することができる。
【図面の簡単な説明】
【００１８】
【図１】本考案に係るおしぼり瞬間冷凍具の外観を説明するための斜視図である。
【図２】本考案に係るおしぼり瞬間冷凍具のを説明するための図である。
【図３】冷却ガス缶接続部の構造を説明するための上面図である。
【図４】冷却ガス缶の構造を説明するための断面図である。
【図５】おしぼり瞬間冷凍具と、冷却ガス缶とを組み合わせてなるおしぼり瞬間冷凍具セットにより布材を冷却し、冷凍おしぼりを得る方法について説明する図である。
【図６】他の好適な柱状部材の形状を説明する図である。
【図７】他の好適な柱状部材の形状を説明する図である。
【図８】他の好適な柱状部材の形状を説明する図である。
【図９】他の好適な柱状部材の形状を説明する図である。
【図１０】他の好適な台座部材の構造を説明する図である。
【考案を実施するための形態】
【００１９】
以下、本考案の実施の形態について図面を参照して説明する。なお、本考案の実施の形態の説明においては、封入された高圧冷却ガスを噴射ノズルを介して噴射する冷却ガス缶と、おしぼり瞬間冷凍具とを組み合わせてなるおしぼり瞬間冷凍具セットについて説明する。なお、本考案でいう、おしぼりとは水道水等で適度に湿らせた、一般的に市販されているサイズのタオル地等からなる布材全般を意味するものとする。
【００２０】
図１は、本考案に係るおしぼり瞬間冷凍具１００の外観を説明するための斜視図である。図２（ａ）は、本考案に係るおしぼり瞬間冷凍具１００の外観を説明するための正面図であり、図２（ｂ）は、図２（ａ）のＡ−Ａ断面を示す縦断面図である。また、図３は、冷却ガス缶接続部２０の構造を説明するための上面図である。
【００２１】
図１に示すように、おしぼり瞬間冷凍具１００は、おしぼりをロール状に巻回可能な外周面１１を備えた柱状部材１０と、該柱状部材の長手方向一端側に連続して形成され、後述する高圧冷却ガスが封入された冷却ガス缶の噴射ノズルと接続し、噴射動作に伴い高圧冷却ガスを柱状部材の中空空間１３に導通する冷却ガス缶接続部２０と、該柱状部材１０の長手方向他端側において柱状部材１０の直立状態を保持する台座部材３０とを備える。
【００２２】
柱状部材１０の形状は、本実施形態においては円柱状とされ、その周面たる外周面１１には、柱状部材１０の中空空間に導通された高圧冷却ガスをおしぼりに対して供給する貫通孔１２が所定の間隔をもって貫設されている。本実施形態において、貫通孔１２の形状は円形とされているが、その形状に制限は無く、円形以外にも、例えば、三角形、四角形といった多角形、又はこららの組み合わせであってもかまわない。そして、貫通孔１２の貫設数は特には限定されないが、おしぼりに対して均等に高圧冷却ガスを供給するために、外周面１１の長手方向全域に沿って略等間隔に貫設されているのが好ましい。
【００２３】
また、図１、及び図２（ａ）に示すように、柱状部材１０は、該柱状部材１０の他端側、すなわち台座部材３０側を下方側、該柱状部材１０の一端側すなわち、冷却ガス缶接続部２０を上方側とすると、下方側から上方側にかけて短手方向断面積が徐々に小さくなるように形成されている。そして、図２（ｂ）に示すように、該柱状部材１０の中空空間１３は、冷却ガス缶接続部２０から導通された高圧冷却ガスが台座部材３０側の下方側まで行き届くように、該柱状部材１０の内容積全域に亘って形成されている。
【００２４】
冷却ガス缶接続部２０は、図２（ｂ）、及び図３に示すように、後述する冷却ガス缶２００の噴射ノズルたるステム２０３と接続可能となるように、柱状部材１０の中空空間１３に連続して形成された開口部２１を備える。そして、開口部２１の周縁部には、おしぼり瞬間冷凍具に対する冷却ガス缶２００の押込み動作に伴いステム２０３と当接するステム当接部２２が形成されており、該ステム当接部２２にステム２０３が当接し、冷却ガス缶２００の押込み方向とは離反する方向にステム２０３が移動することで、冷却ガス缶２００内部に形成されたガスバルブ２０２が解放され、柱状部材１０の中空空間１３に高圧冷却ガス２０１が導通されることになる。柱状部材１０の中空空間１３に導通された高圧冷却ガス２０１は、外周面１１に貫設された貫通孔１２を介しておしぼりに供給されるため、瞬時におしぼりを冷凍することができる。
【００２５】
台座部材３０は、柱状部材１０の長手方向他端側において該柱状部材１０の直立状態を保持する形状、すなわち、少なくとも該柱状部材１０の下方側短手方向断面積よりも大きい断面積を有する円柱形状等の立体であればその形状に制限は無い。なお、台座部材３０は、卓上等において、冷却ガス缶２００と接続された該柱状部材１０の直立状態を保持すると共に、冷却ガス缶２００の押込み動作に伴い付与される重力方向への力に対する剛性を備える基材から成型されるが、この場合、柱状部材１０と一体成型されてもよいし、後述するように柱状部材１０から着脱自在となるように成型されてもかまわない。
【００２６】
上記構成のおしぼり瞬間冷凍具は、熱可塑性樹脂、又は熱硬化性樹脂の何れの樹脂でも成型することができ、その成型方法は、例えば、熱可塑性樹脂であれば、注型法、圧縮法、射出法、押し出し法、Ｔ−ダイ法といった成型法で、熱硬化性樹脂であれば、圧縮法、トランスファー法、射出法といった成型法を用いることができる。
【００２７】
次に、本実施形態に係る冷却ガス缶２００の構成について図４を用いて説明する。前述したように、本実施形態に係る冷却ガス缶２００は、ステム２０３の駆動に伴い、ガスバルブ２０２の開閉が制御される構造となっている。すなわち、おしぼり瞬間冷凍具に対する冷却ガス缶２００の押込み動作に伴うステム２０３の移動によって、高圧冷却ガス２０１をおしぼり瞬間冷凍具に導入することができるとともに、冷却ガス缶２００のおしぼり瞬間冷凍具からの引き戻し動作に伴うステム２０３の移動によって高圧冷却ガス２０１の供給を停止させることができる。ここで、高圧冷却ガス２０１としては、爆発等の危険性が低く、人体に無害で、且つ、冷却効率の高いフロン１５２Ａ、ＬＰＧ、ＤＭＥ、プロパン、又はブタン等のガスを用いることができる。
【００２８】
次に、上記構成を備えたおしぼり瞬間冷凍具１００と、冷却ガス缶２００とを組み合わせてなるおしぼり瞬間冷凍具セットにより冷凍おしぼりを得る方法について図５（ａ）、及び図５（ｂ）を用いて説明する。
【００２９】
まず、おしぼりとして、布材３００を適度に水道水等により湿らせ、図５（ａ）に示すように、おしぼり瞬間冷凍具の柱状部材１０の外周面１１にロール状に巻回する。
【００３０】
次に、図５（ｂ）に示すように、卓上等において、直立状態を保持したおしぼり瞬間冷凍具に冷却ガス缶２００のステム２０３を冷却ガス缶接続部２０を介して接続する。そして、同図中の矢印方向に冷却ガス缶２００を押し込む。すると、冷却ガス缶２００の押込み方向とは離反する方向にステム２０３が移動することで、冷却ガス缶２００内部に形成されたガスバルブ２０２が解放され、柱状部材１０の中空空間１３に高圧冷却ガス２０１が導通される。
【００３１】
柱状部材１０の中空空間１３に導通された高圧冷却ガス２０１は、外周面１１に貫設された貫通孔１２を介して布材３００に供給されるため、瞬時に布材３００は冷凍されることになる。
【００３２】
最後に、台座部材３０を把持し布材３００から引き抜くことで、ロール形状が保たれた状態で冷凍おしぼりを得ることができる。
【００３３】
以上のように、本実施形態によれば、おしぼりとして用いられる布材の形状に制約が無く、簡便、且つ、瞬時に冷凍おしぼりを得ることができる。また、本実施形態に係るおしぼり瞬間冷凍具セットは、おしぼり瞬間冷凍具と冷却ガス缶とからのみ構成されるため、携帯性に優れ、屋外や旅先に容易に持ち出すことができる。
【００３４】
なお、本実施形態の説明において、上記おしぼり瞬間冷凍具１００を構成する柱状部材１０の形状を円柱形状として説明したが、本考案はこれに限定されるものではない。すなわち、本考案では、柱状部材として、図６に示すような三角柱状の柱状部材１０１、図７に示すような四角柱状の柱状部材１０２、図８に示すような五角柱状の柱状部材１０３、図９に示すような六角柱状の柱状部材１０４等の角柱形状の部材等も用いることができる。
【００３５】
上記柱状部材の形状をこのような角柱形状とすることにより、おしぼりの巻回時に角柱形状を構成する各辺部分が湿らせたおしぼりに引っ掛かるため、おしぼりの巻回をより容易に行うことができる。
【００３６】
さらに、本考案では、図１０に示すように、台座部材３０’に凸部３１、柱状部材１０’に該凸部３１と嵌合可能な凹部１４を設け、おしぼりの巻回時には柱状部材から取り外し、高圧冷却ガスの供給時には柱状部材に装着するといった、おしぼり瞬間冷凍具に対して着脱自在に構成することも可能である。このように構成することで、おしぼりの巻回時に、台座部材が巻回の障害になる不具合を防ぐことができる。
【００３７】
なお、本考案は上記記述に限定されるものではなく、本考案の要旨を逸脱しない範囲において適宜変更可能である。
【符号の説明】
【００３８】
１０，１０’，１０１，１０２，１０３，１０４  柱状部材
１１  外周面
１２  貫通孔
１３  中空空間
１４  凹部
２０  冷却ガス缶接続部
２１  開口部
２２  ステム当接部
３０，３０’  台座部材
３１  凸部
１００  おしぼり瞬間冷凍具
２００  冷却ガス缶
２０１  高圧冷却ガス
２０２  ガスバルブ
２０３  ステム
３００  布材
【図１】
0003169351.tif 000003
【図２】
0003169351.tif 000004
【図３】
0003169351.tif 000005
【図４】
0003169351.tif 000006
【図５】
0003169351.tif 000007
【図６】
0003169351.tif 000008
【図７】
0003169351.tif 000009
【図８】
0003169351.tif 000010
【図９】
0003169351.tif 000011
【図１０】
0003169351.tif 000012